(57)【特許請求の範囲】
【請求項１】
屋外で付着した花粉を除去する花粉除去システムであって、
身体又は衣服に付着した花粉を吸引する第一吸引口と、空気中に浮遊する花粉を吸引する第二吸引口と、前記第一吸引口及び前記第二吸引口が接続される吸排気手段と、を備え、前記吸排気手段の排気口は屋外又は床下に繋がっており、
前記第一吸引口が前記第二吸引口に接続され、前記第二吸引口が前記吸排気手段に接続されているとともに、
前記第二吸引口の断面積は、前記第一吸引口の断面積よりも大きく形成されるとともに、前記第一吸引口の前記第二吸引口に対する接続箇所には、先端に吸引部を有するホースが設けられた漏斗状の断面積調整部材が設けられることを特徴とする花粉除去システム。
【請求項２】
先端に吸引部を有するホースが設けられた漏斗状の前記断面積調整部材は、収納箱内に収納可能とされていることを特徴とする請求項１に記載の花粉除去システム。
【請求項３】
前記第一吸引口、前記第二吸引口及び前記吸排気手段が配置される花粉除去領域の室内側には、花粉が室内に流入することを防止する流入防止カーテンを設けることを特徴とする請求項１又は請求項２に記載の花粉除去システム。
【請求項４】
前記第一吸引口及び前記第二吸引口と吸排気手段とを接続する経路には、流入した空気を除塵するフィルタ又は空気の逆流を防止するシャッタが設けられることを特徴とする請求項１乃至請求項３のいずれか一項に記載の花粉除去システム。
【請求項５】
前記第二吸引口は、床面に近接した位置に配置されることを特徴とする請求項１乃至請求項４のいずれか一項に記載の花粉除去システム。
【請求項６】
前記花粉除去領域には、屋外の空気を取り込むための給気口が設けられることを特徴とする請求項１乃至請求項５のいずれか一項に記載の花粉除去システム。
【請求項７】
請求項１乃至請求項６のいずれか一項に記載の花粉除去システムが玄関に配置されていることを特徴とするユニット建物。
【発明の詳細な説明】
【技術分野】
【０００１】
本発明は、住宅の玄関などにおいて花粉を除去する花粉除去システム及びユニット建物に関するものである。
【背景技術】
【０００２】
近年、花粉症患者が増え続けており、５人に１人以上が花粉症といわれており、その症状を軽減することが望まれている。また、花粉症だけでなく、交通粉塵、黄砂など様々な有害物質が外気中に含まれており、健康被害を引き起こしている。
【０００３】
対策としては、窓を大きく開けない、洗濯物を取り入れる際に払い落とす、帰宅したときに衣類の付着物を払い落とす、などがある。
【０００４】
また、設備による対策として、例えば特許文献１には、天井裏に送風機を設置し、外気吸入経路を接続するとともに、チャンバーを接続して吹出口から空気を吐出することが開示されている。
【０００５】
さらに、特許文献２には、密封された空間に吸気口と排気口を設けるとともに、吸気口にはフィルタが配置された除塵室が開示されている。
【先行技術文献】
【特許文献】
【０００６】
【特許文献１】特開２００７−７５０４号公報
【特許文献２】特開２００１−４１５２２号公報
【発明の概要】
【発明が解決しようとする課題】
【０００７】
しかしながら、前記した特許文献１，２の構成では、設備全体が大規模になるという問題があった。このため、一般の住宅には導入しにくいものとなっていた。
【０００８】
そこで、本発明は、簡易な構成によって花粉を除去できる花粉除去システムと、この花粉除去システムを備えるユニット建物と、を提供することを目的としている。
【課題を解決するための手段】
【０００９】
前記目的を達成するために、本発明の花粉除去システムは、屋外で付着した花粉を除去する花粉除去システムであって、身体又は衣服に付着した花粉を吸引する第一吸引口と、空気中に浮遊する花粉を吸引する第二吸引口と、前記第一吸引口及び前記第二吸引口が接続される吸排気手段と、を備え、前記吸排気手段の排気口は屋外又は床下に繋がっていることを特徴とする。
【００１０】
また、前記第一吸引口、前記第二吸引口及び前記吸排気手段が配置される花粉除去領域の室内側には、花粉が室内に流入することを防止する流入防止カーテンを設ける構成とすることができる。
【００１１】
さらに、前記第一吸引口が前記第二吸引口に接続され、前記第二吸引口が前記吸排気手段に接続されていることが好ましい。
【００１２】
加えて、前記第二吸引口の断面積は、前記第一吸引口の断面積よりも大きく形成されるとともに、前記第一吸引口の前記第二吸引口に対する接続箇所には、漏斗状の断面積調整部材が設けられる構成とすることができる。
【００１３】
そして、前記第一吸引口及び前記第二吸引口と吸排気手段とを接続する経路には、流入した空気を除塵するフィルタ又は空気の逆流を防止するシャッタが設けられる構成とすることができる。
【００１４】
また、前記第二吸引口は、床面に近接した位置に配置されることが好ましい。
【００１５】
さらに、前記花粉除去領域には、屋外の空気を取り込むための給気口が設けられることが好ましい。
【００１６】
そして、本発明のユニット建物は、上記したいずれかの花粉除去システムが玄関に配置されていることを特徴とする。
【発明の効果】
【００１７】
このように、本発明の花粉除去システムは、屋外で付着した花粉を除去する花粉除去システムであって、身体又は衣服に付着した花粉を吸引する第一吸引口と、空気中に浮遊する花粉を吸引する第二吸引口と、前記第一吸引口及び前記第二吸引口が接続される吸排気手段と、を備え、前記吸排気手段の排気口は屋外又は床下に繋がっていることを特徴とする。
【００１８】
したがって、１つの吸排気手段によって身体又は衣類に付着した花粉の除去と空気中に浮遊した花粉の除去とをおこなうことで簡易な構成によって花粉を除去できるうえに、送風方向を切換える必要がなくなることで制御を簡略化できる。
【００１９】
また、前記第一吸引口、前記第二吸引口及び前記吸排気手段が配置される花粉除去領域の室内側には、花粉が室内に流入することを防止する流入防止カーテンを設けることで、花粉除去領域を超えて花粉が流入することを防止できる。
【００２０】
さらに、前記第一吸引口が前記第二吸引口に接続され、前記第二吸引口が前記吸排気手段に接続されていることで、運転条件などを変更するだけで吸排気手段を兼用することができる。
【００２１】
加えて、第二吸引口の断面積は第一吸引口の断面積よりも大きく形成されるとともに、第一吸引口の第二吸引口に対する接続箇所には漏斗状の断面積調整部材が設けられることで、第一吸引口を用いる際には静圧を大きくして吸引できるうえに、第二吸引口を用いる際には風量を大きくして排気できる。
【００２２】
そして、前記第一吸引口及び前記第二吸引口と吸排気手段とを接続する経路には、流入した空気を除塵するフィルタ又は空気の逆流を防止するシャッタが設けられることで、排気に含まれる花粉が室内に戻ることを防止できる。
【００２３】
また、第二吸引口は、床面に近接した位置に配置されることで、落下して床面に蓄積された花粉が巻上げられて浮遊すると即座に吸い込んで排気することができる。
【００２４】
さらに、花粉除去領域には、屋外の空気を取り込むための給気口が設けられることで、効率よく吸気及び排気をおこなうことができる。
【００２５】
そして、本発明のユニット建物は、上記したいずれかの花粉除去システムが玄関に配置されることで、室内まで花粉を侵入させずに除去する健康的な生活を送ることのできるユニット建物となる。
【図面の簡単な説明】
【００２６】
【図１】本発明の花粉除去システムの構成を説明する斜視図である。
【図２】ユニット建物全体の構成を説明する断面図である。
【図３】玄関収納の構成を説明する断面図である。
【図４】玄関収納の構成を説明する正面図である。
【図５】第一吸引口を第二吸引口に接続する構成について説明する斜視図である。
【図６】風量と静圧の関係を示すグラフである。
【発明を実施するための形態】
【００２７】
以下、本発明の実施の形態について図面を参照して説明する。
【実施例１】
【００２８】
まず、図２を用いて本発明の花粉除去システムＳを備えるユニット建物１の全体構成を説明する。
【００２９】
本発明のユニット建物１は、図２に示すように、花粉除去領域としての玄関１１と、居住者の生活空間である室内１２と、室内１２と床によって区分される床下１３と、の領域を備えている。なお、図２ではユニット建物１として説明の便宜上１階建てのものを示したが、２階以上のユニット建物１であっても適用できる。
【００３０】
また、このユニット建物１は、図示しないが、４本の柱と、柱の下端間を連結した４本の床梁と、柱の上端間を連結した４本の天井梁と、を有する骨組み構造体を備える建物ユニットを組み合わせて構成されている。
【００３１】
この花粉除去領域としての玄関１１は、ユニット建物１の正面の出入口であり、居住者が出入りする際に必ず開閉される場所である。そして、本実施例の玄関１１には、屋外１４で身体や衣服に付着した花粉を除去する花粉除去システムＳが形成されている。
【００３２】
この花粉除去システムＳは、身体又は衣服に付着した花粉を吸引するノズル状の第一吸引口２と、空気中に浮遊する花粉を吸い込んで排気とともに除去する第二吸引口３と、第一吸引口２と第二吸引口３とが接続される吸排気手段としてのファン４と、によって主に構成されている。
【００３３】
この第一吸引口２は、ファン４に接続されており収納箱１６内に格納されるホース２２と、このホース２２の先端に取付けられるヘッド２１と、を備えている。
【００３４】
このヘッド２１は、花粉を選別して吸引できるように格子、スリット又は複数の小孔などを有するもので、身体又は衣服に付着した花粉を浮き上がらせるためにブラシを有することが好ましい。
【００３５】
また、第二吸引口３は、玄関１１内の空気中に浮遊する花粉を吸い込んで排気とともに除去するもので、ファン４に接続される排気用のガラリである吸込口３１を有している。
【００３６】
そして、本実施例の第二吸引口３は、床面１５に蓄積された花粉が舞い上がった際に補足しやすいように、収納箱１６の前面下部に開口されており、床面１５に近接した位置に配置されている。
【００３７】
加えて、この第二吸引口３には、第一吸引口２のホース２２の末端を接続することができるように構成されている。
【００３８】
さらに、図５に示すように、第二吸引口３Ａは、ファン４の前面の下部に横長の大断面の矩形状に開口する構成とすることもできる。
【００３９】
この場合には、第二吸引口３Ａの断面積は第一吸引口２Ａの断面積よりも大きく（数倍程度）形成されるとともに、第一吸引口２Ａの第二吸引口３Ａに対する接続箇所には漏斗状の断面積調整部材２３が設けられる。
【００４０】
この断面積調整部材２３は、矩形容器部２３ａの底面に接続口２３ｂを突設するようにして形成されるもので、矩形容器部２３ａは第二吸引口３Ａに嵌め合わされ、接続口２３ｂにはホース２２が接続される。
【００４１】
さらに、吸排気手段としてのファン４は、内部にプロペラ状の翼を有するファン部４０と、このファン部４０の上流側に設けられてゴミなどを除去するフィルタ部４２と、を備えている。なお、このファン部４０とフィルタ部４２は一体に構成されてもよいし、別々に構成されてもよい。
【００４２】
ファン部４０としては、掃除機などに用いる遠心ブロアや換気ファンなどを用いることができるが、遠心ブロアでは吸引圧力は大きいが風量は小さくなり、換気ファンでは風量は大きいが吸引圧力は小さい。
【００４３】
このため、両方の機能をうまくバランスさせた設計が必要となるが、遠心ファンを用いた試作機では、排気能力として（玄関の大きさなどにもよるが）、０．５〜２０m3/min程度の風量を有することが好ましく、吸引圧力としては真空度にして１０００Pa〜３００００Pa程度であることが好ましい。
【００４４】
このフィルタ部４２は、吸引した空気中に混入したゴミなどを回収するためのものであるため、花粉を除去するような目の細かいものは必要でない。
【００４５】
そして、このファン４の下流側の排気口４１は、床下１３に繋がっており、この排気口４１の途中には第一吸引口２又は第二吸引口３から流入した空気を除塵するフィルタとしてのフィルタ７０（又は空気の逆流を防止するシャッタ７１）が設けられている。なお、この排気口４１は屋外１４に繋がっているものであってもよい。
【００４６】
加えて、このファン４には、空気中に浮遊していた花粉が床面１５に落下した際に、これを吸引する床面吸引手段（不図示）を接続することもできる。この床面吸引手段は、上記した第一吸引口２の身体衣類用のヘッド２１を床面用のものに交換することで構成される。
【００４７】
そして、これらの第一吸引口２、第二吸引口３及びファン４が配置された空間である花粉除去領域としての玄関１１の室内１２側には、廊下の断面を封止するように、花粉が室内１２に流入することを防止する流入防止カーテン５が設けられている。
【００４８】
この流入防止カーテン５は、花粉を通さないような目の大きさのもの（５〜８０ミクロン程度の目を持つもの）で通気性のあるものが好ましく、さらには、通気性を確保しつつ、花粉を不活性化する機能を有するものや、静電フィルタ機能を有するものであることが好ましい。なお、流入防止カーテン５としては、ビニール製など通気性のないものを使用することもできる。
【００４９】
具体的に流入防止カーテン５を選択する際には、屋外１４に通じる給気口８の有無、住宅の気密性などを考慮して選択するのが好ましい。例えば、給気口８がある場合であれば通気性は不要であるし、給気口がない場合であれば通気性は必要である。なお、この給気口８には、花粉の浸入を防止するフィルタが設置されていることが好ましい。
【００５０】
加えて、この流入防止カーテン５は、玄関１１の外からボタンなどで開閉できたり、人感センサーなどによって自動的に開閉できたりする構造となっていることが好ましい。
【００５１】
なお、流入防止カーテン５の開閉機構としては、レールタイプ、ロールスクリーンタイプ、パネルタイプ、建具タイプ（横にスライドするタイプ）などを用いることができる。
【００５２】
次に、本実施例の花粉除去システムＳの作用について説明する。
【００５３】
まず、屋外１４で身体や衣服に花粉が付着した状態で居住者が玄関１１のドアを開ける。そうすると、人感センサーによって居住者の帰宅を感知して流入防止カーテン５が閉じられる。
【００５４】
同時にファン４が起動し、第一吸引口２及び第二吸引口３の両方から空気を吸引して、床下１３や屋外１４への排気を開始する。
【００５５】
一方、居住者は、身体や衣服に付着した花粉を除去するために、第一吸引口２のヘッド２１を持って身体に沿って撫でるようにして、空気とともに花粉を吸い取っていく。
【００５６】
この吸引によって吸い取られた花粉は、吸い込まれた空気とともにファン４を介して排気口４１から床下１３や屋外１４に排気される。
【００５７】
この際、空気中に含まれた比較的大きなゴミはファン４のフィルタ部４２で補足され、ある程度蓄積されれば回収される。
【００５８】
また、身体や衣服に付着した花粉のうち第一吸引口２で除去できなかった花粉の一部は第二吸引口３によって空気とともに吸引されて、ファン４を介して排気口４１から床下１３や屋外に排気される。
【００５９】
そして、第二吸引口３によっても除去できなかった花粉は、床面１５に蓄積されることになるが、この蓄積された花粉は、第一吸引口２のヘッド２１を床面吸引手段としての床面ノズルに取り替えて吸引されることで除去される。
【００６０】
さらに、本実施例の花粉除去システムＳでは、居住者が玄関１１に入って人感センサーなどによって感知されて所定時間経過すると、タイマーによって自動的にファン４による吸引が停止される。
【００６１】
次に、本実施例の花粉除去システムＳの効果について説明する。
【００６２】
（１）このように、本発明の花粉除去システムＳは、屋外１４で付着した花粉を除去する花粉除去システムＳである。そして、身体又は衣服に付着した花粉を吸引する吸引手段としての第一吸引口２と、空気中に浮遊する花粉を吸引する第二吸引口３と、第一吸引口２及び第二吸引口３が接続される吸排気手段としてのファン４と、を備え、前記吸排気手段の排気口は屋外又は床下に繋がっている。
【００６３】
したがって、１つの吸排気手段によって身体又は衣類に付着した花粉の除去と空気中に浮遊した花粉の除去とをおこなうことで簡易な構成によって花粉を除去できるうえに、送風方向を切換える必要がなくなることで制御を簡略化できる。
【００６４】
つまり、一般の住宅においては、窓を開けない、洗濯物は部屋干しする、などのある程度の対策は可能であるものの、少なくとも出入りのためには玄関１１を開ける必要があるため花粉浸入の可能性が高い。加えて、衣類に付着した花粉等については、一般家庭ではエアシャワー等の大規模な設備の導入は困難であるため対策が取りにくい。
【００６５】
そこで、１つの吸排気手段によって身体等に付着した花粉の吸引と空気中の花粉の排気とをおこなうことで別個に吸排気手段を有する場合よりも構成を簡略化し、簡易な構成によって花粉を除去できるようになった。
【００６６】
加えて、吸排気手段としてのファン４は常に同一方向に吸引するものであるため、送風方向を切換える必要がなくなり、回路構成が簡略化されるとともに、制御フローを簡略化できる。
【００６７】
このように、本発明によれば、一般に、玄関での花粉除去を効率よくおこなうために必要な４つの機能を達成できる。すなわち、（ａ）玄関内に衣類に付着した形で持ち込んだ花粉を除去できること、（ｂ）玄関の出入りに伴い、流入する花粉や玄関内で衣類に付着した花粉などを除去する際に再飛散した空気中の花粉を除去できること、（ｃ）玄関内に流入あるいは再飛散した花粉のホール側への飛散を抑えられること、（ｄ）玄関内に落下した花粉を除去できること、を達成できる。
【００６８】
加えて、第二吸引口３の一部を収納箱１６内に開口することで、収納箱１６内の空気も吸引して換気できるため、靴やブーツの嫌な臭気やカビの発生などを抑制できる。
【００６９】
（２）また、第一吸引口２、第二吸引口３及び吸排気手段としてのファン４が配置される花粉除去領域としての玄関１１の室内１２側には、花粉が室内１２に流入することを防止する流入防止カーテン５を設けることで、花粉除去領域である玄関１１を超えて花粉が流入することを防止できる。
【００７０】
（３）第一吸引口２が第二吸引口３に接続され、第二吸引口３が吸排気手段４に接続されることで、床面１５に蓄積された花粉を巻上げて浮遊させることを防止できる。
【００７１】
つまり、床面１５に落下して蓄積された花粉が巻上げによって浮遊する前に、この第二吸引口３によって吸引することで、花粉が巻上げられて浮遊することを防止できる。
【００７２】
（４）加えて、第二吸引口３Ａの断面積は第一吸引口２Ａの断面積よりも大きく形成されるとともに、第一吸引口２Ａの第二吸引口３Ａに対する接続箇所には漏斗状の断面積調整部材２３が設けられることで、第一吸引口２Ａを用いる際には静圧を大きくして吸引できるうえに、第二吸引口３Ａを用いる際には風量を大きくして排気できる。
【００７３】
すなわち、衣類等に付着した花粉を第一吸引口２Ａを通じて吸引するには風量が小さくても静圧が大きくなければならず、空気中の花粉を第二吸引口３Ａを通じて排気するには静圧が小さくても風量が大きくなければならない。
【００７４】
ここで、ファン４の性能（静圧−風量関係）を測定すると、図６に示すように、風量が大きくなれば静圧は小さくなり、風量が小さくなれば静圧は大きくなるという関係がある。
【００７５】
そこで、断面積調整部材２３を用いて断面積を変えて風量を調整することで、きわめて簡易な手段によって、吸引と排気のそれぞれに最適な静圧・風量を得ることができる。
【００７６】
このように、第二吸引口３Ａに第一吸引口２Ａの断面積調整部材２３を嵌め合わせて取付けるだけで、それぞれの用途に最適な静圧・風量を得ることができれば、特にファン４の運転を制御する必要がなくなり、花粉除去システムＳの構成を簡略化できる。
【００７７】
（５）そして、吸排気手段としてのファン４の排気口４１は屋外１４又は床下１３に繋がっており、排気口４１には吸引手段としての第一吸引口２又は第二吸引口３から流入した空気を除塵するフィルタ７０又は空気の逆流を防止するシャッタ７１が設けられることで、排気に含まれる花粉が室内１２に戻ることを防止できる。この場合、ファン４（又はブロア）はゴミパックと一体となっていてもよいし、別々に構成されるものであってもよい。
【００７８】
（６）また、第二吸引口３は、床面１５に近接した位置に配置されることで、落下して床面１５に蓄積された花粉が巻上げられて浮遊すると即座に吸い込んで排気することができる。
【００７９】
つまり、床面１５に落下して蓄積された花粉が巻上げによって浮遊すると、玄関１１を通る居住者が吸い込む可能性があるため、足元で素早く吸引することで居住者が吸い込む可能性のある高さまで浮上することを防止できる。
【００８０】
（７）さらに、花粉除去領域としての玄関１１には、屋外１４の空気を取り込むための給気口８が設けられることで、効率よく吸気及び排気をおこなうことができる。
【００８１】
すなわち、排気する場合にはそれと同量の空気を屋外１４から給気する必要があるため、給気口８を玄関１１内の壁面上部に設ければ、排気と給気をバランスさせて効率よく給気及び排気できる。
【００８２】
（８）そして、本発明のユニット建物１は、上記したいずれかの花粉除去システムＳが玄関１１に配置されることで、室内１２まで花粉を侵入させずに除去する健康的な生活を送ることのできるユニット建物１となる。
【００８３】
つまり、玄関１１より室内１２側に花粉などの有害な粉塵が浸入せず、花粉症を軽減することができるうえ、室内１２でマスクを着用するなどのわずらわしい行為をすることのない生活を送ることができる。
【００８４】
以上、図面を参照して、本発明の実施例を詳述してきたが、具体的な構成は、この実施例に限らず、本発明の要旨を逸脱しない程度の設計的変更は、本発明に含まれる。
【００８５】
例えば、前記実施例では、流入防止カーテン５を設置する場合について説明したが、これに限定されるものではなく、第二吸引口３を通じて効率よく排気できれば流入防止カーテン５は不要である。
【００８６】
また、前記実施例では、第一吸引口２と第二吸引口３とを別々に備える場合について説明したが、これに限定されるものではなく、第二吸引口３の前面に第一吸引口２を取付けるように構成してもよい。
【００８７】
さらに、前記実施例では、吸排気手段としてファン４を用いる場合について説明したが、これに限定されるものではなく、送風手段として圧縮比の大きいブロアを用いることもできる。
【符号の説明】
【００８８】
Ｓ          花粉除去システム
１          ユニット建物
１１        玄関（花粉除去領域）
１２        室内
１３        床下
１４        屋外
１５        床面
１６        収納箱
２          第一吸引口
３          第二吸引口
３１        吸込口
４          ファン（吸排気手段）
４０        ファン部
４１        換気口
４２        フィルタ部
５          流入防止カーテン
７０        フィルタ
７１        シャッタ
【図１】
0005466446.tif 000002
【図２】
0005466446.tif 000003
【図３】
0005466446.tif 000004
【図４】
0005466446.tif 000005
【図５】
0005466446.tif 000006
【図６】
0005466446.tif 000007